(57)【要約】【課題】粘着清掃ロールを収納ケースからその一部を露出させた状態で使用する携帯用の清掃具において、使用時における粘着清掃ロールの露出面積を大きくする。【解決手段】収納ケース１００の中空胴部１１０内に、ケースカバー２００を第１回転支持手段（１２１，２２１）を介して開閉可能に支持するとともに、ケースカバー２００に粘着清掃ロール１１の支持ローラ１２を第２回転支持手段（１２ａ，２２２）を介して回転可能に支持するにあたって、第２回転支持手段による回転軸線Ｘ２を第１回転支持手段による回転軸線Ｘ１からずらし、ケースカバー２００が開かれた状態においては、第２回転支持手段を第１回転支持手段よりも収納ケース１００の中空胴部１１０の外側寄りに位置させて、粘着清掃ロール１１を収納ケース１００内から外側に向けて移動させる。【選択図】図２
2016067485.tif 000002
【特許請求の範囲】
【請求項１】
外周に粘着面を有する粘着清掃ロールを有する清掃具において、
上記粘着清掃ロールの軸線方向に沿って延びる下面が開放された中空胴部の両端に側板を有する収納ケースと、上記収納ケースと同方向に延び両端に端板を有する断面ほぼ半円状に形成されたケースカバーと、上記粘着清掃ロールの中心部に挿通される支持ローラとを含み、
上記ケースカバーが上記側板と上記端板との間に設けられた第１回転支持手段を介して上記中空胴部の開口面内に開閉可能に支持され、上記支持ローラが第２回転支持手段を介して上記ケースカバーの端板間に回転可能に支持されており、
上記ケースカバーが開かれた状態において上記第２回転支持手段が上記第１回転支持手段よりも上記中空胴部の外側寄りに位置し、上記粘着清掃ロールが上記収納ケース内から外側に向けて移動することを特徴とする清掃具。
【請求項２】
上記ケースカバーの端板は、上記ケースカバーが開かれた状態において上記中空胴部の外側に突出する突出部を有し、上記突出部に上記第２回転支持手段が配置されていることを特徴とする請求項１に記載の清掃具。
【請求項３】
上記収納ケースの一方の側板側では、上記第１回転支持手段の一端と上記第２回転支持手段の一端とが同軸的に重なるように配置され、上記収納ケースの他方の側板側では、上記第２回転支持手段の他端が上記第１回転支持手段の他端から外れた位置に配置されており、上記ケースカバーの端板間に、上記第１回転支持手段の回転軸線に対して上記支持ローラが斜めに支持されていることを特徴とする請求項１に記載の清掃具。
【請求項４】
上記ケースカバーの端板と上記収納ケースの側板とには、上記ケースカバーを閉じた状態では、上記第２回転支持手段による第２回転軸線を上記第１回転支持手段による第１回転軸線と一致させて上記粘着清掃ロールを上記中空胴部内に保持し、上記ケースカバーを開いた状態では、上記第２回転軸線を上記第１回転軸線に対して平行移動させて上記粘着清掃ロールを上記中空胴部の外側に位置させるように上記支持ローラの回転軸が従動子として動作するカム手段が設けられていることを特徴とする請求項１に記載の清掃具。
【請求項５】
上記ケースカバーは上記中空胴部の開口面内で１８０゜往復的に回転可能であり、上記カム手段は、上記ケースカバーの端板側に形成された上記ケースカバーの回転中心位置から１８０゜の円弧を描く円弧溝と、上記収納ケースの側板側に形成された上記円弧溝の両端を結ぶ直線溝とからなることを特徴とする請求項４に記載の清掃具。
【請求項６】
上記収納ケースには手で把持される把手が設けられていることを特徴とする請求項１ないし５のいずれか１項に記載の清掃具。
【請求項７】
上記ケースカバーはその一辺に指掛け用の第１舌片を有し、上記中空胴部の対向する２辺には上記第１舌片の嵌合溝が形成されており、上記各嵌合溝の脇には上記第１舌片を２つの指先ではじくように上記嵌合溝から外す際に用いられる指掛け用の第２舌片が設けられていることを特徴とする請求項１ないし６のいずれか１項に記載の清掃具。
【発明の詳細な説明】
【技術分野】
【０００１】
本発明は、粘着清掃ロールを有する清掃具（粘着式ロールクリーナー）に関し、さらに詳しく言えば、粘着清掃ロールを収納ケースからその一部を露出させた状態で使用する、特に携帯に好適な清掃具に関するものである。
【背景技術】
【０００２】
粘着清掃ロールによる清掃具には、床面等を清掃する家庭用や業務用のものから、衣服に付着したゴミや最近では携帯電話機のタッチ入力画面等に付着した皮脂汚れを取る携帯用の小型のものまであるが、図１６および図１７を参照して、従来の携帯用清掃具について説明する。
【０００３】
この携帯用清掃具１は、粘着清掃ロール２を収納する収納ケース３と、ケースカバー４とを備えている。なお、粘着清掃ロール２には、通常、片面粘着テープをその粘着面を外側にして巻回してなる粘着テープロールが用いられるが、粘着性を有する例えばシリコーンゴムローラが用いられることもある。
【０００４】
収納ケース３は、図１６（ａ），（ｂ）に示すように、粘着清掃ロール２の軸線方向に沿って延びる下面が開放された断面ほぼコ字状の中空胴部３ａを有し、その両端に側板３ｂ，３ｂを一体に備えている。側板３ｂ，３ｂには、それぞれ軸受穴３ｃ，３ｃが同軸的に形成されている。
【０００５】
ケースカバー４は、収納ケース３と同方向に延びる断面ほぼ半円状のカバー本体４ａを有し、その両端には端板４ｂ，４ｂが一体に設けられている。端板４ｂ，４ｂには、軸受穴３ｃ，３ｃ内に嵌合する回転軸４ｃ，４ｃが形成されている。
【０００６】
粘着清掃ロール２は、その中心部に挿通される支持ローラ５に支持された状態で収納ケース３内に収納されるが、この従来例では、ケースカバー４の端板４ｂ，４ｂの回転軸４ｃ，４ｃ内には、支持ローラ５の両端に設けられている回転軸５ａ，５ａに対する軸受穴４ｄ，４ｄが形成されている。
【０００７】
これによれば、収納ケース３に対してケースカバー４が、軸受穴３ｃ，３ｃと回転軸４ｃ，４ｃとからなる第１回転支持手段を介して収納ケース３の下面を開閉するように回転可能に支持され、また、ケースカバー４に対して支持ローラ５（粘着清掃ロール２）が、軸受穴４ｄ，４ｄと回転軸５ａ，５ａとからなる第２回転支持手段を介して回転可能に支持され、これら第１および第２の２つの回転支持手段は同一の回転軸線Ｘ−Ｘを共有している。
【０００８】
携帯時には、図１７（ａ），（ｂ）に示すように、粘着清掃ロール２が隠されるようにケースカバー４を閉じ、使用時には、図１６（ａ），（ｂ）に示すように、ケースカバー４を開けて粘着清掃ロール２を露出させる（類例として、特許文献１参照）。
【０００９】
しかしながら、この携帯用清掃具１において、粘着清掃ロール２は、ケースカバー４の回転軸線Ｘ上に支持されているため、例えばケースカバー４が半円状である場合、その粘着面の露出面積は周長の５０％以下となる。
【００１０】
したがって、粘着清掃ロール２を転がしての清掃時に、収納ケース３が被清掃面に接触しやすく、接触を避けるには収納ケース３を余り傾けずに使用しなければならない、という制約が課せられる。
【００１１】
なお、粘着面の露出面積を大きくするには、ケースカバー４の回転軸線Ｘ（粘着清掃ロール２の回転軸線でもある）を、図１６，１７の各図（ｂ）において、下方に下げればよいのであるが、そうすると、ケースカバー４を閉じたときの天地寸法が大きくなり、携帯用としては好ましくない。
【先行技術文献】
【特許文献】
【００１２】
【特許文献１】実用新案登録第３０９２５５１号公報
【発明の概要】
【発明が解決しようとする課題】
【００１３】
そこで、本発明の課題は、粘着清掃ロールを収納ケースからその一部を露出させた状態で使用する携帯用の清掃具において、使用時における粘着清掃ロールの露出面積を大きくすることにある。
【課題を解決するための手段】
【００１４】
上記課題を解決するため、本発明は、外周に粘着面を有する粘着清掃ロールを有する清掃具において、
上記粘着清掃ロールの軸線方向に沿って延びる下面が開放された中空胴部の両端に側板を有する収納ケースと、上記収納ケースと同方向に延び両端に端板を有する断面ほぼ半円状に形成されたケースカバーと、上記粘着清掃ロールの中心部に挿通される支持ローラとを含み、
上記ケースカバーが上記側板と上記端板との間に設けられた第１回転支持手段を介して上記中空胴部の開口面内に開閉可能に支持され、上記支持ローラが第２回転支持手段を介して上記ケースカバーの端板間に回転可能に支持されており、
上記ケースカバーが開かれた状態において上記第２回転支持手段が上記第１回転支持手段よりも上記中空胴部の外側寄りに位置し、上記粘着清掃ロールが上記収納ケース内から外側に向けて移動することを特徴としている。
【００１５】
本発明には、上記ケースカバーの端板は、上記ケースカバーが開かれた状態において上記中空胴部の外側に突出する突出部を有し、上記突出部に上記第２回転支持手段が配置されている第１の態様が含まれる。
【００１６】
また、第２態様として、上記収納ケースの一方の側板側では、上記第１回転支持手段の一端と上記第２回転支持手段の一端とが同軸的に重なるように配置され、上記収納ケースの他方の側板側では、上記第２回転支持手段の他端が上記第１回転支持手段の他端から外れた位置に配置されており、上記ケースカバーの端板間に、上記第１回転支持手段の回転軸線に対して上記支持ローラ（粘着清掃ロール）が斜めに支持されている態様も本発明に含まれる。
【００１７】
さらに第３の態様として、本発明には、上記ケースカバーの端板と上記収納ケースの側板とには、上記ケースカバーを閉じた状態では、上記第２回転支持手段による第２回転軸線を上記第１回転支持手段による第１回転軸線と一致させて上記粘着清掃ロールを上記中空胴部内に保持し、上記ケースカバーを開いた状態では、上記第２回転軸線を上記第１回転軸線に対して平行移動させて上記粘着清掃ロールを上記中空胴部の外側に位置させるように上記支持ローラの回転軸が従動子として動作するカム手段が設けられている態様も含まれる。
【００１８】
上記第３の態様において、上記ケースカバーは上記中空胴部の開口面内で１８０゜往復的に回転可能であり、上記カム手段は、上記ケースカバーの端板側に形成された上記ケースカバーの回転中心位置から１８０゜の円弧を描く円弧溝と、上記収納ケースの側板側に形成された上記円弧溝の両端を結ぶ直線溝とからなる。
【００１９】
上記収納ケースには、手で把持される把手が設けられてよい。また、好ましくは、上記ケースカバーはその一辺に指掛け用の第１舌片を有し、上記中空胴部の対向する２辺には上記第１舌片の嵌合溝が形成されており、上記各嵌合溝の脇には上記第１舌片を２つの指先ではじくように上記嵌合溝から外す際に用いられる指掛け用の第２舌片が設けられているとよい。
【発明の効果】
【００２０】
本発明によれば、収納ケースの中空胴部内に、ケースカバーを第１回転支持手段を介して開閉可能に支持するとともに、ケースカバーに粘着清掃ロールの支持ローラを第２回転支持手段を介して回転可能に支持するにあたって、第２回転支持手段を第１回転支持手段からずらし、ケースカバーが開かれた状態において第２回転支持手段が第１回転支持手段よりも収納ケースの中空胴部の外側寄りに位置し、粘着清掃ロールが収納ケース内から外側に向けて移動するようにしたことにより、使用時における粘着清掃ロールの露出面積を大きくすることができる。また、これに伴って、ケースカバーを閉じた際の天地寸法を可及的に小さくすることができる。
【図面の簡単な説明】
【００２１】
【図１】本発明の第１実施形態に係る清掃具の（ａ）ケースカバーを閉じた状態を示す底面側から見た斜視図、（ｂ）ケースカバーを開けた状態を示す底面側から見た斜視図。
【図２】上記第１実施形態に係る清掃具のケースカバーを開けた状態における（ａ）長さ方向に沿った模式的な断面図（同図（ｂ）のＢ３線断面図）、（ｂ）幅方向に沿った模式的な断面図（同図（ａ）のＡ３線断面図）。
【図３】上記第１実施形態に係る清掃具のケースカバーを閉じた状態における（ａ）長さ方向に沿った模式的な断面図（同図（ｂ）のＢ４線断面図）、（ｂ）幅方向に沿った模式的な断面図（同図（ａ）のＡ４線断面図）。
【図４】粘着清掃ロールを示す（ａ）正面図、（ｂ）その右側面図。
【図５】上記第１実施形態に係る清掃具が備える収納ケースを示す（ａ）正面図、（ｂ）平面図、（ｃ）底面図、（ｄ）左側面図、（ｅ）右側面図。
【図６】上記収納ケースの図５（ａ）のＡ５線に沿った拡大断面図。
【図７】上記第１実施形態に係る清掃具が備えるケースカバーを示す（ａ）正面図、（ｂ）平面図、（ｃ）底面図、（ｄ）左側面図、（ｅ）右側面図。
【図８】上記ケースカバーの図７（ｅ）のＢ５線に沿った拡大断面図。
【図９】本発明の第２実施形態に係る清掃具の（ａ）ケースカバーを閉じた状態を示す模式的な断面図、（ｂ）ケースカバーを開いた状態を示す模式的な断面図。
【図１０】上記第２実施形態に係る清掃具が備えるケースカバーを示す（ａ）正面図、（ｂ）そのＡ６線断面図。
【図１１】本発明の第３実施形態に係る清掃具のケースカバーを閉じた状態における（ａ）長さ方向に沿った模式的な断面図（同図（ｂ）のＢ６線断面図）、（ｂ）幅方向に沿った模式的な断面図（同図（ａ）のＡ８線断面図）、（ｃ）右側面図。
【図１２】上記第３実施形態に係る清掃具のケースカバーを開いた状態における（ａ）長さ方向に沿った模式的な断面図（同図（ｂ）のＢ７線断面図）、（ｂ）幅方向に沿った模式的な断面図（同図（ａ）のＡ９線断面図）、（ｃ）右側面図。
【図１３】上記第３実施形態に係る清掃具が備える収納ケースを示す（ａ）正面図、（ｂ）その右側面図、（ｃ）同図（ｂ）のＢ８線断面図、（ｄ）同図（ａ）のＡ１０線断面図。
【図１４】上記第３実施形態に係る清掃具が備えるケースカバーを示す（ａ）正面図、（ｂ）その右側面図、（ｃ）同図（ｂ）のＢ９線断面図、（ｄ）同図（ａ）のＡ１１線断面図。
【図１５】（ａ），（ｂ）本発明に含まれる把手を備えた清掃具の２例を示す正面図。
【図１６】従来の携帯用清掃具のケースカバーを開けた状態における（ａ）長さ方向に沿った模式的な断面図（同図（ｂ）のＢ１線断面図）、（ｂ）幅方向に沿った模式的な断面図（同図（ａ）のＡ１線断面図）。
【図１７】上記従来の携帯用清掃具のケースカバーを閉じた状態における（ａ）長さ方向に沿った模式的な断面図（同図（ｂ）のＢ２線断面図）、（ｂ）幅方向に沿った模式的な断面図（同図（ａ）のＡ２線断面図）。
【発明を実施するための形態】
【００２２】
次に、図１ないし図１５により、本発明のいくつかの実施形態について説明するが、本発明はこれに限定されるものではない。
【００２３】
まず、図１ないし図８を参照して、第１実施形態に係る清掃具１０Ａは、粘着清掃ロール１１のための収納ケース１００とケースカバー２００とを備えている。この実施形態において、収納ケース１００、ケースカバー２００ともに合成樹脂材からなる。
【００２４】
粘着清掃ロール１１には、片面粘着テープをその粘着面を外側にして巻回してなる粘着テープロールもしくは粘着性を有する例えばシリコーンゴムローラ、周面にミクロ吸盤を有するローラ等が用いられてよい。
【００２５】
図４に示すように、粘着清掃ロール１１は、その中心部に挿通される支持ローラ１２に支持された状態で収納ケース１００内に回転可能に収納される。支持ローラ１２は、その両端に回転軸１２ａ，１２ａを備えている。
【００２６】
特には図２、図３、図６に示すように、収納ケース１００は、粘着清掃ロール１１の軸線方向に沿って延びる底面が開放された中空胴部１１０を備えている。この実施形態において、中空胴部１１０は、天板１０１、前板１０２および背板１０３を有する断面逆Ｕ状に形成されている。
【００２７】
中空胴部１１０の両端には、側板１２０，１２０が一体に設けられている。図５（ｄ），（ｅ）に示すように、側板１２０，１２０には、ケースカバー２００を回転可能に支持するための軸受穴１２１，１２１が同軸として形成されている。
【００２８】
図７および図８を併せて参照して、ケースカバー２００は、収納ケース１００と同方向に延びる断面ほぼ半円状に形成されたカバー本体２１０を有し、その両端には、収納ケース１００の側板１２０，１２０と対面する端板２２０，２２０が一体に設けられている。
【００２９】
端板２２０，２２０には、側板１２０，１２０の軸受穴１２１，１２１に嵌合する回転軸２２１，２２１が設けられている。すなわち、ケースカバー２００は、軸受穴１２１と回転軸２２１とからなる第１回転支持手段により、収納ケース１００の開口面内に回転可能に支持される。上記第１回転支持手段（１２１，２２１）の回転軸線をＸ１とする。
【００３０】
ケースカバー２００の端板２２０，２２０の内面側には、支持ローラ１２（粘着清掃ロール１１）の回転軸１２ａ，１２ａを回転可能に支持するための軸受穴２２２，２２２が同軸として設けられている。
【００３１】
これにより、粘着清掃ロール１１は、支持ローラ１２の回転軸１２ａ，１２ａと、端板２２０の軸受穴２２２，２２２とからなる第２回転支持手段により、ケースカバー２００に取り付けられるが、この第１実施形態において、上記第２回転支持手段（１２ａ，２２２）の回転軸線Ｘ２は、上記第１回転支持手段（１２１，２２１）の回転軸線Ｘ１からずらされている。
【００３２】
すなわち、図２（ｂ）に示すケースカバー２００が開かれた状態において、回転軸線Ｘ２（ケースカバー２００に対する粘着清掃ロール１１の回転軸線）は、回転軸線Ｘ１（収納ケース１００に対するケースカバー２００の回転軸線）よりも下側（中空胴部１１０の外側寄り）に位置するようにずらされている。
【００３３】
これによれば、図２（ｂ）に示すケースカバー２００が開かれた状態では、粘着清掃ロール１１が、回転軸線Ｘ１（図１６，図１７に示す従来例における粘着清掃ロール２の支持位置）よりも下側に迫り出すため、ケースカバー２００が半円状である場合、粘着清掃ロール１１のケースカバー２００からの露出面積を周長の５０％超とすることができる。
【００３４】
また、図３（ｂ）に示すケースカバー２００が閉じられた状態では、粘着清掃ロール１１が、回転軸線Ｘ１よりも上側（より中空胴部１１０内側）に位置することになるため、ケースカバー２００を閉じた際の天地寸法を可及的に小さくすることができる。
【００３５】
図１〜図３および図７を参照して、ケースカバー２００は、中空胴部１１０の開口面内で１８０゜往復的に回転可能であり、ケースカバー２００の一辺側のほぼ中央には、指掛け用の第１舌片２１１が設けられている。
【００３６】
これに対して、図１，図５に示すように、中空胴部１１０の対向する２辺には、第１舌片２１１の嵌合溝１０６，１０６が形成されており、各嵌合溝１０６の脇には、第１舌片２１１を２つの指先ではじくようにして嵌合溝１０６から外す際に用いられる指掛け用の第２舌片１０５，１０５が設けられている。
【００３７】
また、図６および図７（ｄ），（ｅ）を参照して、軸受穴１２１の天板１０１側寄りの周りには、その半周長（１８０゜の範囲）にわたって円弧溝１２２が軸受穴１２１と同心状に形成されている。
【００３８】
これに対して、回転軸２２１側には、ケースカバー２００の回転に伴って円弧溝１２２内を移動するリブ２３３が形成されている。この実施形態において、リブ２３３は指掛け用の第１舌片２１１と回転軸２２１の同一半径線上に配置されており、ケースカバー２００が閉じられているとき、円弧溝１２２の一方の端壁に当接し、ケースカバー２００が開かれたとき、円弧溝１２２の他方の端壁に当接し、ケースカバー２００の回転範囲を規制する。
【００３９】
この清掃具１０Ａを図示しないスマートフォン等の携帯電話機に携帯させる場合のことを考慮して、図２および図７（ｂ）に示すように、中空胴部１１０の天板１０１の片側（図２において左側）には、ストラップ挿通用の孔１０４が設けられている。
【００４０】
また、この実施形態によれば、図８に示すように、軸受穴２２２，２２２は、端板２２０，２２０の先端側、すなわちケースカバー２００が開かれた状態において中空胴部１１０の外側に突出する側に設けられているが、端板２２０，２２０の先端の内面側には、支持ローラ１２の回転軸１２ａ，１２ａを、端板２２０，２２０を押し広げながら軸受穴２２２，２２２内に滑り込ませるための傾斜面２２４，２２４が形成されている。
【００４１】
なお、支持ローラ１２（粘着清掃ロール１１）をケースカバー２００から外すには、例えばマイナスドライバー等で端板２２０，２２０を強制的に押し広げて、軸受穴２２２，２２２内から回転軸１２ａ，１２ａを取り外せばよい。
【００４２】
次に、図９および図１０を参照して、第２実施形態に係る清掃具１０Ｂについて説明する。なお、上記第１実施形態と変更を要しない部材には、それと同じ参照符号を付す。
【００４３】
この第２実施形態においても、収納ケース１００に対してケースカバー２００が回転可能に支持され、ケースカバー２００に粘着清掃ロール１１が回転可能に支持されるが、収納ケース１００に対するケースカバー２００の回転軸線Ｘ１ａに対して、ケースカバー２００に対する粘着清掃ロール１１の回転軸線Ｘ２ａが、所定角度傾けられている点で、上記第１実施形態と異なっている。
【００４４】
すなわち、収納ケース１００の側板１２０，１２０は、それぞれケースカバー２００に対する軸受穴１２１ａ，１２１ｂを備えているが、一方の図９において右側の軸受穴１２１ａは小径であるのに対して、他方の軸受穴１２１ｂは大径である。ただし、軸受穴１２１ａと軸受穴１２１ｂは同軸上に配置されている。
【００４５】
これに対応して、ケースカバー２００の一方の端板２２０ａは、軸受穴１２１ａに嵌合する小径の回転軸２２１ａを有し、他方の端板２２０ｂは、軸受穴１２１ｂに嵌合する大径の回転軸２２１ｂを備えている。
【００４６】
これにより、ケースカバー２００は、軸受穴１２１ａ，１２１ｂと、回転軸２２１ａ，２２１ｂとからなる第１回転支持手段により、収納ケース１００の開口面内に、回転軸線Ｘ１ａを中心として回転可能に支持される。
【００４７】
ケースカバー２００は、その端板２２０ａ，２２０ｂの各内面側に支持ローラ１２（粘着清掃ロール１１）の回転軸１２ａ，１２ａを回転可能に支持するための軸受穴２２２ａ，２２２ｂを備えているが、この第２実施形態によると、一方の軸受穴２２２ａは小径側の回転軸２２１ａと同軸に配置され、他方の軸受穴２２２ｂは大径側の回転軸２２１ｂの回転中心（回転軸線Ｘ１ａ）から偏心した位置に配置されている。
【００４８】
これにより、支持ローラ１２（粘着清掃ロール１１）は、軸受穴２２２ａ，２２２ｂと、回転軸１２ａ，１２ａとからなる第２回転支持手段により、第１回転支持手段による回転軸線Ｘ１ａとは所定の角度で交差する回転軸線Ｘ２ａを中心としてケースカバー２００に回転可能に支持される。
【００４９】
このように、ケースカバー２００の回転軸線Ｘ１ａに対して、支持ローラ１２（粘着清掃ロール１１）の回転軸線Ｘ２ａを傾けるようにした第２実施形態によれば、図９（ｂ）に示すように、ケースカバー２００を開くと、粘着清掃ロール１１の片側が収納ケース１００から突き出るため、その分、粘着清掃ロール１１の露出面積が大きくなる。
【００５０】
次に、図１１ないし図１４を参照して、第３実施形態に係る清掃具１０Ｃについて説明する。なお、上記第１実施形態と変更を要しない部材には、それと同じ参照符号を付す。
【００５１】
この第３実施形態においても、上記第１実施形態と同じく、収納ケース１００は、その側板１２０，１２０に同軸の軸受穴１２１，１２１を有し、ケースカバー２００の端板２２０，２２０には、それぞれ軸受穴１２１，１２１に嵌合する回転軸２２１，２２１が設けられ、ケースカバー２００は、軸受穴１２１と回転軸２２１とからなる第１回転支持手段により回転軸線Ｘ１を中心として回転するが、ケースカバー２００の開閉に伴って支持ローラ１２（粘着清掃ロール１１）を移動させる手段に、回転−直線動変換カム手段を採用している点で上記第１実施形態と異なっている。
【００５２】
すなわち、ケースカバー２００が、収納ケース１００の中空胴部１１０の開口面内で１８０゜往復的に回転可能であるとして、図１４に示すように、ケースカバー２００の回転軸２２１，２２１には、それぞれケースカバー２００の回転中心位置（回転軸線Ｘ１）から１８０゜の円弧を描く円弧溝２３０，２３０が形成されている。円弧溝２３０，２３０は、回転軸２２１，２２１を貫通している。
【００５３】
これに対して、図１３に示すように、収納ケース１００の側板１２０，１２０側には、ケースカバー２００が開位置もしくは閉位置にあるときの円弧溝２３０の両端２３０ａ，２３０ｂを結ぶ垂直方向に延びる直線溝１３０，１３０が形成されている。直線溝１３０，１３０も、側板１２０，１２０を貫通している。
【００５４】
粘着清掃ロール１１は、支持ローラ１２の回転軸１２ａ，１２ａがそれぞれ円弧溝２３０および直線溝１３０を貫通するようにして、ケースカバー２００に回転可能に支持される。回転軸１２ａ，１２ａは、ケースカバー２００の回転に伴って円弧溝２３０と直線溝１３０とによる回転−直線動変換カム手段の従動子として作用する。
【００５５】
この第３実施形態において、図１１（ｂ）に示すように、円弧溝２３０の一端２３０ａ（同図において円弧溝２３０の下端）は、常にケースカバー２００の回転軸線Ｘ１上の回転中心に位置しており、ケースカバー２００が閉じられているとき、円弧溝２３０の他端２３０ｂ（同図において円弧溝２３０の上端）は、円弧溝２３０の一端２３０ａの真上に位置し、回転軸１２ａは円弧溝２３０の一端２３０ａ側（図１１（ｃ）において直線溝１３０の上端側）に保持されている。
【００５６】
この状態から、ケースカバー２００を反時計方向に１８０゜回転させて開くと、図１２（ｂ）に示すように、円弧溝２３０の他端２３０ｂが円弧溝２３０の一端２３０ａの真下に位置し、これに伴って、図１２（ｃ）に示すように、回転軸１２ａは直線溝１３０の下端側に移動し、粘着清掃ロール１１が大きな露出面積をもって収納ケース１００から迫り出される。
【００５７】
このように、第３実施形態では、上記の円弧溝２３０と直線溝１３０とからなるカム機構により、ケースカバー２００が閉じられているときには、支持ローラ１２の回転軸線Ｘ２が、ケースカバー２００の回転軸線Ｘ１と同軸に保持され、ケースカバー２００が開かれたときには、支持ローラ１２の回転軸線Ｘ２が回転軸線Ｘ１に対して平行移動して粘着清掃ローラ１１が収納ケース１００から迫り出されることを特徴としている。
【００５８】
不使用時に、ケースカバー２００を閉じるには、図１２（ｂ）の状態からケースカバー２００を時計方向に１８０゜回転させて図１１（ｂ）の状態とすればよい。
【００５９】
なお、本発明には、図１５（ａ）に示すように、収納ケース１００に把手１５０が側方に向けて取り付けられる態様と、図１５（ｂ）に示すように、収納ケース１００に把手１５０がほぼ垂直に取り付けられる態様とが含まれ、これらの各態様は、上記第１ないし第３実施形態のいずれにも適用可能である。
【００６０】
また、本発明による清掃具（１０Ａ，１０Ｂ，１０Ｃ）は、好ましくは粘着清掃ロール１１にスマートフォンや携帯タブレット等のタッチ式入力画面に付着した皮脂汚れを除去し得る粘着剤を備え、これら携帯情報端末に使用されることを意図している。
【符号の説明】
【００６１】
１０Ａ，１０Ｂ，１０Ｃ  清掃具
１１  粘着清掃ロール
１２  支持ローラ
１２ａ  回転軸
１００  収納ケース
１１０  中空胴部
１２０  側板
１２１  軸受穴
２００  ケースカバー
２１０  カバー本体
２２０  端板
２２１  回転軸
２２２  軸受穴
Ｘ１  第１回転支持手段の回転軸線
Ｘ２  第２回転支持手段の回転軸線
【図１】
2016067485.tif 000003
【図２】
2016067485.tif 000004
【図３】
2016067485.tif 000005
【図４】
2016067485.tif 000006
【図５】
2016067485.tif 000007
【図６】
2016067485.tif 000008
【図７】
2016067485.tif 000009
【図８】
2016067485.tif 000010
【図９】
2016067485.tif 000011
【図１０】
2016067485.tif 000012
【図１１】
2016067485.tif 000013
【図１２】
2016067485.tif 000014
【図１３】
2016067485.tif 000015
【図１４】
2016067485.tif 000016
【図１５】
2016067485.tif 000017
【図１６】
2016067485.tif 000018
【図１７】
2016067485.tif 000019